(57)【特許請求の範囲】
【請求項１】
椅子本体に支持される肘掛け構造体と、前記肘掛け構造体に取り付けられる肘当て部材と、を備え、
前記肘掛け構造体は、前後方向に延びる上部杆と、該上部杆の前部から下方へ延びる前部杆と、を有し、
前記肘当て部材は、前記上部杆の上面を覆う上面被覆部と、該上面被覆部の前部から下方へ延びて前記前部杆の前面を覆う前面被覆部と、を有し、
前記上部杆と前記上面被覆部との間には、前記上面被覆部が前記上部杆の上面に沿って後方へ移動することで、該上面被覆部を前記上部杆への取り付け状態にする上面取り付け部が設けられ、
前記前部杆と前記前面被覆部との間には、前記前面被覆部が前記上面被覆部とともに前記上面に沿って後方へ移動することで、前記前面被覆部を前記前部杆への取り付け状態にする前面取り付け部が設けられ、
前記肘掛け構造体には、前記上面取り付け部の構造体側上面係止部および前記前面取り付け部の構造体側前面係止部を形成する中間部材が取り付けられ、
前記中間部材は、前記上部杆に形成されて前記上部杆の上面を開口端とする樋形状部樋形状部の内部に取り付けられ、
前記上面取り付け部は、前記中間部材に設けられる構造体側上面係止部と、前記肘当て部材に設けられる肘当て側上面係止部と、を有し、
前記肘当て側上面係止部は、前記構造体側上面係止部に下方から当接する、椅子の肘掛け。
【請求項２】
前記中間部材の両側には、左右に張り出す左右一対の前記構造体側上面係止部が設けられ、
前記肘当て側上面係止部は、前記構造体側上面係止部の左右外側から下方に回り込む鉤状に形成されている、請求項１に記載の椅子の肘掛け。
【請求項３】
前記前部杆および前記前面被覆部は、前記上部杆および前記上面被覆部の各々の前端から下後方へ折り返すように設けられている、請求項１又は２に記載の椅子の肘掛け。
【請求項４】
前記前部杆は、前記上部杆の前端から下後方へ折り返すように湾曲する湾曲部を有し、前記前面被覆部は、前記湾曲部に沿うように湾曲している、請求項３に記載の椅子の肘掛け。
【請求項５】
前記上面取り付け部は、前記肘掛け構造体に設けられて上方に閉塞されるとともに前方に開放する前記構造体側上面係止部と、前記肘当て部材に設けられて前後方向に延在するとともに前記構造体側上面係止部の前方から該構造体側上面係止部の下方に入り込んで係合状態となる前記肘当て側上面係止部と、を備えている、請求項１から４の何れか一項に記載の椅子の肘掛け。
【請求項６】
前記肘当て部材は、肘置き面を形成する表装体と、該表装体を外装するとともに前記上面取り付け部の肘当て側上面係止部および前記前面取り付け部の肘当て側前面係止部を形成するベース体と、を備えている、請求項１から５の何れか一項に記載の椅子の肘掛け。
【請求項７】
請求項１から６の何れか一項に記載の椅子の肘掛けを備えている、椅子。
【発明の詳細な説明】
【技術分野】
【０００１】
本発明は、椅子の肘掛け、およびそれを備える椅子、並びに椅子の肘掛けの製造方法に関する。
【背景技術】
【０００２】
従来、下記特許文献１，２に開示された椅子の肘掛けが知られている。
これらの肘掛けは、前後方向に延びる上部杆と、この上部杆の前部より下方へ延びる前部杆と、からなる肘掛け本体を備えている。上部杆は着座者の腕を支持し、前部杆は手指を掛ける部位として使用することが可能である。こうした構成を備えることによって、着座者の腕を広い領域において支持することができる。
そして、上記した肘掛けでは、肘掛け本体における上部杆から前部杆にかけて取り付けられる肘当て部材も備えている。この肘当て部材は、肘掛け本体よりも柔軟性の高い素材から形成されており、着座者が腕を乗せた際に柔軟な感触を与えることが可能になっている。前部杆の上部における上部杆からの移行領域には、着座者の手指が掛けられるため、肘当て部材は、前記移行領域にも所定の長さを有して配設されていることが望ましい。
【０００３】
肘掛け本体に対する肘当て部材の具体的な取り付け構造としては、上部杆の上面に、前方には開放されているが上方には閉塞されている被係合凹部を形成し、この被係合凹部に対して、肘当て部材の側部から外側方に突出する係合片を、前方から後方へ略水平に変位させることによって係合させた後、前記移行領域において、上方に開放された被係合凹部に対して、肘当て部材の前部に形成された下向きの係合爪を、上方から下方へ変位させることによって係合させる。すなわち、肘掛け本体に対する肘当て部材の取り付けは、肘掛け本体の上部杆を覆う部位と前部杆の移行領域を覆う部位とで、相互に係合方向が異なっている。
【先行技術文献】
【特許文献】
【０００４】
【特許文献１】実用新案登録第２５６００４１号公報
【特許文献２】特許第３５２８５２８号公報
【発明の概要】
【発明が解決しようとする課題】
【０００５】
上記従来の構成において、肘当て部材の肘掛け本体への取り付けは、まず、肘当て部材における上部杆を覆う部位を、上部杆に対して前方から後方へ略水平に変位させることによって係合させ、その後、肘当て部材における前記移行領域を覆う部位を、移行領域に対して上方から下方へ変位させることによって係合させる、という二動作によって行われる。しかし、肘当て部材の取り付け作業を容易にするという点では改善の余地がある。
【０００６】
本願発明は、上記の技術的課題に鑑みてなされたもので、肘掛けの上部杆および前部杆を覆う肘当て部材の取り付け作業を容易にし、手指の広い範囲にかけて上部杆および前部杆とは異なる感触を容易に与えることを可能とする椅子の肘掛け、およびそれを備える椅子、並びに椅子の肘掛けの製造方法を提供する。
【課題を解決するための手段】
【０００７】
上記課題の解決手段として、本発明の椅子の肘掛けは、椅子本体に支持される肘掛け構造体と、前記肘掛け構造体に取り付けられる肘当て部材と、を備え、前記肘掛け構造体は、前後方向に延びる上部杆と、該上部杆の前部から下方へ延びる前部杆と、を有し、前記肘当て部材は、前記上部杆の上面を覆う上面被覆部と、該上面被覆部の前部から下方へ延びて前記前部杆の前面を覆う前面被覆部と、を有し、前記上部杆と前記上面被覆部との間には、前記上面被覆部が前記上部杆の上面に沿って後方へ移動することで、該上面被覆部を前記上部杆への取り付け状態にする上面取り付け部が設けられ、前記前部杆と前記前面被覆部との間には、前記前面被覆部が前記上面被覆部とともに前記上面に沿って後方へ移動することで、前記前面被覆部を前記前部杆への取り付け状態にする前面取り付け部が設けられている。
【０００８】
この構成によれば、肘当て部材が上部杆の上面に沿って移動することのみにより、肘当て部材の上面被覆部および前面被覆部が肘掛け構造体に対して取り付け状態となるので、肘当て部材の一側を取り付けた後に他側を取り付けるといった二動作を要する従来構成に対し、肘当て部材の後方移動という一動作で肘当て部材全体を取り付けることが可能となり、肘当て部材の取り付け作業を容易にすることができる。
したがって、肘当て部材を、上部杆から前部杆への移行部位にも容易に配設することができ、手指の広い範囲にかけて上部杆および前部杆とは異なる感触を容易に与えることができる。
【０００９】
また、上記椅子の肘掛けにおいて、前記前部杆および前記前面被覆部は、前記上部杆および前記上面被覆部の各々の前端から下後方へ折り返すように設けられている構成としてもよい。
この場合、肘当て部材に載せた手で肘掛け前端を握り込むような使い方をしても、手指の広い範囲にかけて上部杆および前部杆とは異なる感触を与えることができる。これにより、肘掛けにより身体を預けやすくなり、疲れにくく使い勝手のよい肘掛けを構成することができる。
【００１０】
また、上記椅子の肘掛けにおいて、前記前部杆は、前記上部杆の前端から下後方へ折り返すように湾曲する湾曲部を有し、前記前面被覆部は、前記湾曲部に沿うように湾曲している構成としてもよい。
この場合、肘当て部材に載せた手で肘掛け前端を握り込みやすくなり、より疲れにくく使い勝手のよい肘掛けを構成することができる。
【００１１】
また、上記椅子の肘掛けにおいて、前記上面取り付け部は、前記肘掛け構造体に設けられて上方に閉塞されるとともに前方に開放する構造体側上面係止部と、前記肘当て部材に設けられて前後方向に延在するとともに前記構造体側上面係止部の前方から該構造体側上面係止部の下方に入り込んで係合状態となる肘当て側上面係止部と、を備えている構成としてもよい。
この場合、肘当て側上面係止部を構造体側上面係止部の前方から下方に潜り込ませることで上面取り付け部の係合が完了するので、弾性変形する爪等を用いる場合と比べて成形誤差等による負荷の増大を抑え、肘当て部材の取り付け作業を容易にするとともに、上面取り付け部の破損を抑止することができる。
【００１２】
また、上記椅子の肘掛けにおいて、前記肘当て部材は、肘置き面を形成する表装体と、該表装体を外装するとともに前記上面取り付け部の肘当て側上面係止部および前記前面取り付け部の肘当て側前面係止部を形成するベース体と、を備えている構成としてもよい。
この場合、肘当て部材の柔らかい触感と各取り付け部の肘当て側係止部の強度とを容易に両立させるとともに、各取り付け部の肘当て側係止部の成形を容易にすることができる。
【００１３】
また、上記椅子の肘掛けにおいて、前記肘掛け構造体には、前記上面取り付け部の構造体側上面係止部および前記前面取り付け部の構造体側前面係止部を形成する中間部材が取り付けられている構成としてもよい。
この場合、肘掛け構造体とは別体の中間部材により、各取り付け部の構造体側係止部を形成することができ、比較的大型の肘掛け構造体の成形への影響を抑えることができる。
【００１４】
そして、本発明の椅子は、上記した椅子の肘掛けを備えている。
この構成によれば、着座者の腕に上部杆および前部杆とは異なる感触を付与できる椅子になるとともに、肘当て部材の取り付けも堅牢なものとし、長期的に品質を維持することができる。
【００１５】
また、上記椅子の肘掛けの製造方法は、椅子本体に支持される肘掛け構造体と、前記肘掛け構造体に取り付けられる肘当て部材と、を備え、前記肘掛け構造体は、前後方向に延びる上部杆と、該上部杆の前部から下方へ延びる前部杆と、を有し、前記肘当て部材は、前記上部杆の上面を覆う上面被覆部と、該上面被覆部の前部から下方へ延びて前記前部杆の前面を覆う前面被覆部と、を有し、前記上部杆に前記上面被覆部を載せるとともに前記前部杆の前方に前記前面被覆部を配置した状態の前記肘当て部材を、前記上部杆の上面に沿って後方へ移動させることで、前記上面被覆部を前記上部杆への取り付け状態にするとともに、前記前面被覆部を前記前部杆への取り付け状態にする工程を含んでいる。
【００１６】
この構成によれば、肘当て部材が上部杆の上面に沿って移動することのみにより、肘当て部材の上面被覆部および前面被覆部が肘掛け構造体に対して取り付け状態となるので、肘当て部材の一側を取り付けた後に他側を取り付けるといった二動作を要する従来構成に対し、肘当て部材の後方移動という一動作で肘当て部材全体を取り付けることが可能となり、肘当て部材の取り付け作業を容易にすることができる。
【発明の効果】
【００１７】
本発明によれば、肘掛けの上部杆および前部杆を覆う肘当て部材の取り付け作業を容易にし、手指の広い範囲にかけて上部杆および前部杆とは異なる感触を容易に与えることを可能とする椅子の肘掛け、およびそれを備える椅子、並びに椅子の肘掛けの製造方法を提供することができる。
【図面の簡単な説明】
【００１８】
【図１】本発明の実施形態における椅子の前面側の斜視図である。
【図２】上記椅子の後面側の斜視図である。
【図３】上記椅子の背凭れ周辺の分解斜視図である。
【図４】（ａ）は上記背凭れの背枠および肘掛けの前面図、（ｂ）は（ａ）の側面図である。
【図５】上記肘掛けの分解斜視図である。
【図６】上記肘掛けの分解側面図である。
【図７】上記肘掛けの肘当て部材のベース部材の斜視図である。
【図８】上記肘掛けの中間部材の斜視図である。
【図９】図４（ａ）のＩＸ断面図である。
【図１０】図４（ｂ）のＸ断面図である。
【図１１】図４（ｂ）のＸＩ断面図である。
【図１２】上記肘掛けの肘当て部材を取り付ける工程を示す平面説明図である。
【図１３】上記肘掛けの肘当て部材を取り付ける工程を示す側面説明図である。
【発明を実施するための形態】
【００１９】
以下、本発明の一実施形態について図面を参照して説明する。なお、以下の説明において、前後上下左右等の向きは、椅子１に正規姿勢で着座した着座者の正面側を「前」、その逆側（背面側）を「後」とし、上下左右も着座者から見た向きと同一とする。また、図中において、矢印ＵＰは上方を示し、矢印ＦＲは前方を示し、ＬＨは左方を示している。
【００２０】
図１、図２に示すように、椅子１は、フロアＦ上に載置される脚部２と、脚部２の上端部に設置される支基３と、着座者が着座する座体４と、支基３の上面に取り付けられて座体４を支持する座受部材５と、支基３から後部上方側に延出して座体４に着座した着座者の背中を支持する背凭れ６と、背凭れ６の下部両側に固定される左右一対の肘掛け２０と、を備えている。以下、椅子１における肘掛け２０を除いた部分を椅子本体１Ａと称する。
【００２１】
脚部２は、キャスタ７ａ付きの多岐脚７と、多岐脚７の中央部より起立し昇降機構であるガススプリングを内蔵する脚柱８とを備え、脚柱８の上端部に支基３が取り付けられている。支基３には、脚柱８の昇降調整機構と背凭れ６の傾動調整機構とが内蔵されている。
【００２２】
図３、図４に示すように、背凭れ６は、椅子１の幅方向（左右方向）に離間して略平行に配置された一対の杆材９を有する枠部材１０と、一対の杆材９間に架設される面材１１と、一対の杆材９に被せられる袋状の張材１２と、を備えている。図４（ａ）中の線ＣＬは左右中心線を示す。
【００２３】
枠部材１０は、前記一対の杆材９の下端部間に渡る下枠部１４を一体に有し、一対の杆材９の上端部間には左右に延びる連結フレーム１５が取り付けられて、正面視で概略矩形の枠状に形成されている。枠部材１０および連結フレーム１５は、例えば合成樹脂製とされ、それぞれ射出成形により一体形成されている。下枠部１４の前下方には、支基３に対する取付部１６が一体形成されている。
【００２４】
面材１１は、メッシュ材またはエラストマー等からなる面材本体１１ａと、面材本体１１ａの幅方向両側にそれぞれ設けられる側部支持フレーム１１ｂと、面材本体１１ａの下端に設けられる下部支持フレーム１１ｃと、を備えている。側部支持フレーム１１ｂおよび下部支持フレーム１１ｃは、縫合または溶着等によって面材１１に取り付けられている。面材１１は、側部支持フレーム１１ｂが杆材９に取り付けられて支持され、下部支持フレーム１１ｃが下枠部１４に取り付けられて支持されることで、枠部材１０に固定されている。
【００２５】
枠部材１０の下部の幅方向両側には、それぞれ肘掛け２０の後端部が取り付けられている。枠部材１０の下部の幅方向両側には、幅方向の外側に開口する凹部１７が形成されている。この凹部１７の開口を閉塞するように、肘掛け２０の後端部が取り付けられている。凹部１７内には上下一対のナット（不図示）が埋設され、これらのナットに対して肘掛け２０の後端部を貫通した幅方向に沿う一対のボルトＢ１がそれぞれ螺着される。
【００２６】
肘掛け２０の後端部の幅方向の外側には、幅方向の外側に開口する凹部１８が形成されている。この凹部１８の開口を閉塞するように、肘掛け２０の後端部の幅方向の外側にはカバープレート１９が取り付けられている。凹部１８内には、前記ボルトＢ１を挿通する一対の貫通孔Ｎ１（図５、図６参照）が形成されている。
【００２７】
以下、本実施形態の肘掛け２０について詳細に説明する。なお、左右の肘掛け２０は互いに左右対称の構成を有しており、以下の説明では図に示す左側の肘掛け２０を参照して説明を行い、右側の肘掛け２０については説明を省略する。また、以下の説明において、肘掛け２０の上下、前後および左右の向きは、特に記載がなければ肘掛け２０を椅子本体１Ａに取り付けた状態での向きと同一とする。
【００２８】
図５、図６に示すように、肘掛け２０は、前記椅子本体１Ａに支持される肘掛け構造体２１と、肘掛け構造体２１に取り付けられる肘当て部材３１と、を備えている。
肘掛け構造体２１は、硬質の合成樹脂によって側面視で概略三角形状の枠状に一体形成されている。肘掛け構造体２１は、前後方向に延びる上部杆２２と、該上部杆２２の前部から後下方へ延びる前部杆２３と、上部杆２２および前部杆２３の後端部間に渡る後部杆２４と、を有している。後部杆２４の下部は、枠部材１０の下部側面に上下一対のボルトＢ１（図２参照）によって締結固定される。
【００２９】
上部杆２２は、上下幅を抑えた偏平の樋状に形成されている。
前部杆２３は、その上部で上部杆２２の前端から下後方へ折り返すように湾曲する湾曲部２５と、湾曲部２５の下端から下後方へ傾斜して延びる下後方延出部２６と、を有する。
湾曲部２５は、上部杆２２と連続するように偏平の樋状に形成されている。上部杆２２から湾曲部２５にかけて形成される樋形状部２７は、後部を上部杆２２の後端部で終端させ、下部を湾曲部２５の下端部で終端させている（図９参照）。
下後方延出部２６は、下後方ほど左右幅を狭めるとともに上下幅を増すように断面形状を徐変させて形成されている。
【００３０】
肘当て部材３１は、上部杆２２の上面２２ａと湾曲部２５の前面（外周面）２３ａとに渡ってこれら両面２２ａ，２３ａを覆うように設けられている。上部杆２２の上面２２ａおよび湾曲部２５の前面２３ａは、それぞれ樋形状部２７の開口端に沿う面とされている。
肘当て部材３１は、上部杆２２の上面２２ａを覆う上面被覆部３２と、湾曲部２５の前面２３ａを覆う前面被覆部３３と、を有している。前面被覆部３３は、湾曲部２５と同様、上面被覆部３２の前端から下後方へ折り返すように湾曲している。
【００３１】
肘当て部材３１は、上部杆２２の上面２２ａに上方から当接した状態で、上部杆２２の上面２２ａに沿うように後方へ移動することで、肘掛け構造体２１への取り付け状態となる。
具体的に、上部杆２２と上面被覆部３２との間には、上面被覆部３２の後方移動によって上面被覆部３２を上部杆２２への取り付け状態とする上面取り付け部４１が設けられ、湾曲部２５と前面被覆部３３との間には、前面被覆部３３の後方移動によって前面被覆部３３を湾曲部２５への取り付け状態とする前面取り付け部４２が設けられている。
【００３２】
上面取り付け部４１は、上部杆２２に設けられる構造体側上面係止部２８と、上面被覆部３２に設けられる肘当て側上面係止部３８と、を有している。
構造体側上面係止部２８は、後述する中間部材４５に設けられるとともに、該中間部材４５を樋形状部２７内に取り付けた状態で、上方には閉塞されるとともに前方には開放した態様となる。肘当て側上面係止部３８は、肘当て部材３１に設けられて前後方向に延在するとともに、構造体側上面係止部２８の前方から該構造体側上面係止部２８の下方に入り込んで係合状態となる。
前面取り付け部４２は、湾曲部２５に設けられる構造体側前面係止部２９と、前面被覆部３３に設けられる肘当て側前面係止部３９と、を有している。
【００３３】
ここで、肘掛け構造体２１は、左右方向の型割りにより一体成形されているが、前記樋形状部２７は、別途スライド型等を用いて形成されている。このとき、構造体側上面係止部２８および構造体側前面係止部２９を同時に形成しようとすると、型構造を複雑にしたり係止構造に制限を与えたりする虞がある。
本実施形態では、肘掛け構造体２１の全体構造を形成する構造体本体に対し、樋形状部２７内に別体の中間部材４５を設けることで、型構造の複雑化を抑えた上で樋形状部２７内に所望の係止構造を形成可能としている。
【００３４】
図８を併せて参照し、中間部材４５は、下方に開放する門形の断面形状で上部杆２２内を前後方向に延びる角形断面部４６と、角形断面部４６の後方に連なる偏平状の後端フランジ部４７と、角形断面部４６の前方に連なり湾曲部２５内を湾曲部２５に沿うように延びる前端湾曲部４８と、を有している。中間部材４５は、例えば構造体本体と同様の合成樹脂製とされ、上下方向の型割りにより一体形成されている。
【００３５】
中間部材４５は、樋形状部２７内に上方から入り込み、複数のビスｂａ，ｂｂ，ｂｃにより樋形状部２７内に固定されている。具体的に、中間部材４５の角形断面部４６は、前後方向に並ぶ複数（四本）のビスｂａを上方から挿通し、樋形状部２７内に上方に向けて立設された締結ボス２７ａに螺着し締め込むことで固定され、後端フランジ部４７は、一本のビスｂｂを上方から挿通し、後部杆２４の上端部に形成されて樋形状部２７内に開口するネジ孔２７ｂに螺着し締め込むことで固定され、前端湾曲部４８は、一本のビスｂｃを前方から挿通し、樋形状部２７内に前方に向けて立設された締結ボス２７ｃに螺着し締め込むことで固定される。図中符号４６ａ，４７ａ，４８ａは、角形断面部４６、後端フランジ部４７および前端湾曲部４８のビス挿通部をそれぞれ示す。
【００３６】
角形断面部４６の上部両側には、角形断面部４６の上面と面一をなすように左右に張り出す左右一対の構造体側上面係止部２８が設けられている。構造体側上面係止部２８は、角形断面部４６を固定する複数のビスｂａの各々の側方に並ぶように複数（ビスｂａと同数）設けられている。複数の構造体側上面係止部２８は、互いに略均等な前後幅Ｈ１を有し、かつ前後方向で互いに略均等な間隔Ｋ１を空けて並設されている。構造体側上面係止部２８は、上部杆２２の上面２２ａに概ね沿う板状に設けられている。
【００３７】
中間部材４５の前端湾曲部４８には、前方に突出する左右一対の構造体側前面係止部２９が設けられている。構造体側前面係止部２９は、前端湾曲部４８を固定するビスｂｃの側方に並ぶように設けられている。構造体側前面係止部２９は、左右方向に弾性変形可能な弾性片２９ａと、弾性片２９ａの前端部の外側に突設される係止爪２９ｂと、を有している。
【００３８】
図５〜図７を参照し、肘当て部材３１は、肘置き面３１ａを含む外面を形成する例えばラバー製の表装体３４と、該表装体３４を外装するとともに上面取り付け部４１の肘当て側上面係止部３８および前面取り付け部４２の肘当て側前面係止部３９を形成する例えば肘掛け構造体２１と同様の合成樹脂製のベース体３５と、を備えている。肘当て部材３１は、素材の異なる二種類の部材により、肘置き面３１ａの柔軟な感触と肘当て側上面係止部３８および肘当て側前面係止部３９の強度とを両立させている。なお、肘当て部材３１は柔軟な感触を与えるものに限らず、軟質な部位が無くても（肘掛け構造体２１と同様に硬質であっても）、外面のシボ加工等により肘掛け構造体２１とは異なる感触を与えるものであってもよい。また、肘当て部材３１が二色成形等の手段によりベース体３５と一体成形されている構成であってもよい。
【００３９】
図９〜図１１を併せて参照し、表装体３４は、肘置き面３１ａを形成する上壁部３４ａと、上壁部３４ａの前端から前部杆２３の湾曲部２５に沿って前下方に回り込む湾曲壁部３４ｂと、上壁部３４ａおよび湾曲壁部３４ｂの外周縁から肘掛け構造体２１側に起立する周壁部３４ｃと、周壁部３４ｃの肘掛け構造体２１側の端縁から肘掛け２０の内側にクランク状の断面形状をなして入り込む噛み込み部３４ｄと、を有している。噛み込み部３４ｄは、ベース体３５の外周縁と樋形状部２７の開口部との間に噛み込まれて、表装体３４の装着状態を維持する。
【００４０】
ベース体３５は、上部杆２２の上面２２ａおよび湾曲部２５の前面２３ａに沿う板状をなし、外縁部を表装体３４の噛み込み部３４ｄよりも内側に入り込ませることで、表装体３４を外装可能としている。ベース体３５は、表装体３４の上壁部３４ａと隙間Ｓ１を空けて対向するベース上壁部３５ａと、表装体３４の湾曲壁部３４ｂと隙間Ｓ２を空けて対向するベース湾曲壁部３５ｂと、を有している。ベース体３５と表装体３４との間の両隙間Ｓ１，Ｓ２には、例えばウレタンフォーム等のクッション材が内蔵されている。なお、両隙間Ｓ１，Ｓ２の少なくとも一方が空洞のままでもよい。ベース湾曲壁部３５ｂの左右側端部および下端部には、ベース湾曲壁部３５ｂと湾曲壁部３４ｂとの間の隙間Ｓ２を確保するとともにベース湾曲壁部３５ｂの剛性を確保するビード形状部３５ｃが形成されている。なお、ベース体３５と表装対３４との間に隙間がなく、かつベース体３５の少なくとも一部に相対的に剛性の小さい（撓み易い）部位が設けられた構成であってもよい。
【００４１】
ベース上壁部３５ａには、複数の構造体側上面係止部２８にそれぞれ係合する複数の肘当て側上面係止部３８が設けられている。
肘当て側上面係止部３８は、肘当て部材３１の肘当て構造体への取り付け状態で、構造体側上面係止部２８の左右外側から下方に回り込む鉤状に形成されている（図１０参照）。肘当て側上面係止部３８は、前記取り付け状態で構造体側上面係止部２８に下方から当接して係合する係止片３８ａと、前記取り付け状態で構造体側上面係止部２８の前端に前方から当接して係合するストッパ片３８ｂと、を有する。
【００４２】
複数の肘当て側上面係止部３８は、互いに略均等な前後幅Ｈ２を有し、かつ前後方向で略均等な間隔Ｋ２を空けて並設されている。各肘当て側上面係止部３８の前後幅Ｈ２は、前後方向に並ぶ複数の構造体側上面係止部２８間の間隔Ｋ１よりも小とされている。
【００４３】
図１２、図１３に示すように、複数の肘当て側上面係止部３８は、肘当て部材３１が肘掛け構造体２１に対して概ね前記前後幅Ｈ２分だけ前方にずれた状態で、前後方向に並ぶ複数の構造体側上面係止部２８間に入り込むことが可能であり、このとき、肘当て部材３１の上面被覆部３２の下面３２ａが上部杆２２の上面２２ａに当接可能である。上面被覆部３２の下面３２ａは、ベース体３５の外周縁に外嵌した噛み込み部３４ｄの外周側の下面であり、樋形状部２７の開口端に沿う面とされている。なお、図示都合上、図１２、図１３では表装体３４の図示を略す。
【００４４】
ベース上壁部３５ａの後端部の下方には、後端フランジ部４７に形成された後端爪受け４９に対して肘当て部材３１の後方移動によって係合可能な後端爪３６が突設されている。
ベース湾曲壁部３５ｂには、一対の構造体側前面係止部２９を挿入し係合させる一対の肘当て側前面係止部３９が設けられている。一対の肘当て側前面係止部３９は、前後方向に並ぶ構造体側上面係止部２８間に肘当て側上面係止部３８を入り込ませた状態では、一対の構造体側前面係止部２９に対して前方に離間する。このため、肘当て側前面係止部３９は、肘当て部材３１の上面被覆部３２の下面３２ａを上部杆２２の上面２２ａに当接させる際の妨げにはならない。
【００４５】
そして、前後方向に並ぶ構造体側上面係止部２８間に肘当て側上面係止部３８を入り込ませ、肘当て部材３１の上面被覆部３２の下面３２ａを上部杆２２の上面２２ａに当接させた当接配置状態とした際には、各肘当て側上面係止部３８の係止片３８ａが対応する構造体側上面係止部２８の前方で該構造体側上面係止部２８の下方に進入可能な高さに配置される。各構造体側上面係止部２８の前端部は、円弧形状および前上がりのテーパ面を有するガイド部２８ａとされ、各肘当て側上面係止部３８を対応する構造体側上面係止部２８に前方から係合しやすくしている。
【００４６】
前記当接配置状態から、上部杆２２の上面２２ａに沿って肘当て部材３１を後方に移動させると、各肘当て側上面係止部３８の係止片３８ａが対応する構造体側上面係止部２８の下方に係合する。このとき、各肘当て側上面係止部３８のストッパ片３８ｂが対応する構造体側上面係止部２８の前端に当接するとともに、ベース体３５の後端爪３６が中間部材４５の後端爪受け４９に係合し、かつ前面被覆部３３の後面３３ａが湾曲部２５の前面２３ａに当接することで、肘当て部材３１の後方移動が停止される。この停止位置が肘当て部材３１の肘掛け構造体２１への取り付け位置となる。前面被覆部３３の後面３３ａは、ベース体３５の外周縁に外嵌した噛み込み部３４ｄの外周側の後面であり、樋形状部２７の開口端に沿う面とされている。
【００４７】
湾曲部２５においては、上部杆２２の上面２２ａに沿って肘当て部材３１を後方に移動させる際、一対の構造体側前面係止部２９が一対の肘当て側前面係止部３９に挿入されて係合する。これにより、肘当て部材３１が肘掛け構造体２１から前方へ離脱することが規制される。
肘当て部材３１が肘掛け構造体２１への取り付け位置まで後方移動すると、ベース体３５の外周縁が表装体３４の噛み込み部３４ｄを介して樋形状部２７の開口内に嵌合し、肘当て部材３１の肘掛け構造体２１への取り付けが完了する。
【００４８】
以上説明したように、上記実施形態における椅子１の肘掛け２０では、椅子本体１Ａに支持される肘掛け構造体２１と、前記肘掛け構造体２１に取り付けられる肘当て部材３１と、を備え、前記肘掛け構造体２１は、前後方向に延びる上部杆２２と、該上部杆２２の前部から下方へ延びる前部杆２３と、を有し、前記肘当て部材３１は、前記上部杆２２の上面２２ａを覆う上面被覆部３２と、該上面被覆部３２の前部から下方へ延びて前記前部杆２３の前面２３ａを覆う前面被覆部３３と、を有し、前記上部杆２２と前記上面被覆部３２との間には、前記上面被覆部３２が前記上部杆２２の上面２２ａに沿って後方へ移動することで、該上面被覆部３２を前記上部杆２２への取り付け状態にする上面取り付け部４１が設けられ、前記前部杆２３と前記前面被覆部３３との間には、前記前面被覆部３３が前記上面被覆部３２とともに前記上面２２ａに沿って後方へ移動することで、前記前面被覆部３３を前記前部杆２３への取り付け状態にする前面取り付け部４２が設けられている。
【００４９】
この構成によれば、肘当て部材３１が上部杆２２の上面２２ａに沿って移動することのみにより、肘当て部材３１の上面被覆部３２および前面被覆部３３が肘掛け構造体２１に対して取り付け状態となるので、肘当て部材３１の一側を取り付けた後に他側を取り付けるといった二動作を要する従来構成に対し、肘当て部材３１の後方移動という一動作で肘当て部材３１全体を取り付けることが可能となり、肘当て部材３１の取り付け作業を容易にすることができる。
したがって、肘当て部材３１を、上部杆２２から前部杆２３への移行部位にも容易に配設することができ、手指の広い範囲にかけて柔軟な感触（上部杆２２および前部杆２３とは異なる感触）を容易に与えることができる。
【００５０】
また、上記椅子の肘掛けでは、前記前部杆２３および前記前面被覆部３３は、前記上部杆２２および前記上面被覆部３２の各々の前端から下後方へ折り返すように設けられている。
この構成によれば、肘当て部材３１に載せた手で肘掛け前端を握り込むような使い方をしても、手指の広い範囲にかけて柔軟な触感を与えることができる。これにより、肘掛けにより身体を預けやすくなり、疲れにくく使い勝手のよい肘掛けを構成することができる。
【００５１】
また、上記椅子の肘掛けでは、前記前部杆２３は、前記上部杆２２の前端から下後方へ折り返すように湾曲する湾曲部２５を有し、前記前面被覆部３３は、前記湾曲部２５に沿うように湾曲している。
この構成によれば、肘当て部材３１に載せた手で肘掛け前端を握り込みやすくなり、より疲れにくく使い勝手のよい肘掛けを構成することができる。
【００５２】
また、上記椅子の肘掛けでは、前記肘当て部材３１は、肘置き面３１ａを形成する表装体３４と、該表装体３４を外装するとともに前記上面取り付け部４１の肘当て側上面係止部３８および前記前面取り付け部４２の肘当て側前面係止部３９を形成するベース体３５と、を備えている。
この構成によれば、肘当て部材３１の柔らかい触感と各取り付け部４１，４２の肘当て側係止部３８，３９の強度とを容易に両立させるとともに、各取り付け部４１，４２の肘当て側係止部３８，３９の成形を容易にすることができる。
【００５３】
また、上記椅子の肘掛けでは、前記肘掛け構造体２１には、前記上面取り付け部４１の構造体側上面係止部２８および前記前面取り付け部４２の構造体側前面係止部２９を形成する中間部材４５が取り付けられている。
この構成によれば、肘掛け構造体２１とは別体の中間部材４５により、各取り付け部４１，４２の構造体側係止部２８，２９を形成することができ、比較的大型の肘掛け構造体２１の成形への影響を抑えることができる。
【００５４】
そして、上記実施形態の椅子１は、上記した椅子の肘掛けを備えているので、着座者の腕に柔軟な感触を付与できる椅子になるとともに、肘当て部材３１の取り付けも堅牢なものとし、長期的に品質を維持することができる。
【００５５】
また、上記実施形態の椅子の肘掛けの製造方法は、椅子本体１Ａに支持される肘掛け構造体２１と、前記肘掛け構造体２１に取り付けられる肘当て部材３１と、を備え、前記肘掛け構造体２１は、前後方向に延びる上部杆２２と、該上部杆２２の前部から下方へ延びる前部杆２３と、を有し、前記肘当て部材３１は、前記上部杆２２の上面２２ａを覆う上面被覆部３２と、該上面被覆部３２の前部から下方へ延びて前記前部杆２３の前面２３ａを覆う前面被覆部３３と、を有し、前記上部杆２２に前記上面被覆部３２を載せるとともに前記前部杆２３の前方に前記前面被覆部３３を配置した状態の前記肘当て部材３１を、前記上部杆２２の上面２２ａに沿って後方へ移動させることで、前記上面被覆部３２を前記上部杆２２への取り付け状態にするとともに、前記前面被覆部３３を前記前部杆２３への取り付け状態にする工程を含んでいる。
【００５６】
この構成によれば、肘当て部材３１が上部杆２２の上面２２ａに沿って移動することのみにより、肘当て部材３１の上面被覆部３２および前面被覆部３３が肘掛け構造体２１に対して取り付け状態となるので、肘当て部材３１の一側を取り付けた後に他側を取り付けるといった二動作を要する従来構成に対し、肘当て部材３１の後方移動という一動作で肘当て部材３１全体を取り付けることが可能となり、肘当て部材３１の取り付け作業を容易にすることができる。
【００５７】
なお、本発明は上記実施形態に限られるものではなく、例えば、前部杆が湾曲部を有さず上部杆の前端から下方へ屈曲した形状をなし、この屈曲部を覆うように前記前面被覆部が設けられる構成であってもよい。前部杆が下後方へ延出せず鉛直下方または下前方へ延出する構成であってもよい。肘掛け構造体が枠状の一体形成品ではなく面材を含んだり適宜分割された構成であってもよい。
そして、上記実施形態における構成は本発明の一例であり、当該発明の要旨を逸脱しない範囲で種々の変更が可能である。
【符号の説明】
【００５８】
１  椅子
１Ａ  椅子本体
２０  肘掛け
２１  肘掛け構造体
２２  上部杆
２２ａ  上面
２３  前部杆
２３ａ  前面
２５  湾曲部
２８  構造体側上面係止部
２９  構造体側前面係止部
３１  肘当て部材
３１ａ  肘置き面
３２  上面被覆部
３３  前面被覆部
３４  表装体
３５  ベース体
３８  肘当て側上面係止部
３９  肘当て側前面係止部
４１  上面取り付け部
４２  前面取り付け部
４５  中間部材
【図１】
0006765182.tif 000002
【図２】
0006765182.tif 000003
【図３】
0006765182.tif 000004
【図４】
0006765182.tif 000005
【図５】
0006765182.tif 000006
【図６】
0006765182.tif 000007
【図７】
0006765182.tif 000008
【図８】
0006765182.tif 000009
【図９】
0006765182.tif 000010
【図１０】
0006765182.tif 000011
【図１１】
0006765182.tif 000012
【図１２】
0006765182.tif 000013
【図１３】
0006765182.tif 000014